(57)【要約】      （修正有）【課題】光を遮断するとともに熱を放散するランプハウジングのための方法および装置を提供する。【解決手段】ランプハウジングは、反射板１２を収納するかまたはそれと一体化されて、ランプのバーナにより放出される放射線を吸収する内面３０と、放射手段および対流手段により熱放散を改良可能とする外面３４とを備えている。内面３０は放射線を吸収し、外面３４は放射手段および対流手段により熱放散を改良する複数の形成物により広げられる。また、ハウジングは可視光の迷光の放散を遮断し、それにより、光漏洩システムの必要性を減少または排除する。【選択図】図１
2010282969.tif 000002
【特許請求の範囲】
【請求項１】
内部に配設された光源から発せられる可視光を反射する一方で放射線を通過させることが可能な反射板と、
通過された前記放射線を吸収可能な内面と面積増加用の複数の形成物を有する外面とを備え、該内面から該外面に、前記吸収された放射線が熱として低減された温度で透過される、前記反射板に結合されたハウジングと
を備えてなるランプハウジング装置。
【請求項２】
前記ハウジングが、前記反射板からの前記可視光の迷光を遮断することをさらに可能にしてなる、請求項１記載のランプハウジング装置。
【請求項３】
前記ハウジングの前記内面が、前記可視光の迷光を遮断するように調整されてなる、請求項２記載のランプハウジング装置。
【請求項４】
前記ハウジングの前記内面が、通過された前記放射線の吸収性を強化するように調整されてなる、請求項２記載のランプハウジング装置。
【請求項５】
前記ハウジングの前記内面が、不透明な材料のコーティングを塗布することにより、前記通過された放射線の吸収性を強化するように調整されてなる、請求項４記載のランプハウジング装置。
【請求項６】
前記不透明な材料がペイントである、請求項５記載のランプハウジング装置。
【請求項７】
前記ハウジングの前記内面が、陽極化によって前記通過された放射線の吸収性を強化するように調整されてなる、請求項４記載のランプハウジング装置。
【請求項８】
前記ハウジングの前記内面が、ピーニングによって前記通過された放射線の吸収性を強化するように調整されてなる、請求項４記載のランプハウジング装置。
【請求項９】
前記ハウジングの前記内面が、ナーリングによって前記通過された放射線の吸収性を強化するように調整されてなる、請求項４記載のランプハウジング装置。
【請求項１０】
前記ハウジングの前記外面が前記可視光の迷光を遮断してなる、請求項２記載のランプハウジング装置。
【請求項１１】
前記ハウジングが前記光源からの放射を封じ込めることを可能にしてなる、請求項１記載のランプハウジング装置。
【請求項１２】
前記吸収された放射線が赤外（ＩＲ）放射線である、請求項１記載のランプハウジング装置。
【請求項１３】
前記複数の形成物が、前記ハウジングの前記外面を横切って平行に配設されるプレートである、請求項１記載のランプハウジング装置。
【請求項１４】
前記複数の形成物が、前記ハウジングの前記外面を横切って経度方向に配設されるフィンである、請求項１記載のランプハウジング装置。
【請求項１５】
前記複数の形成物が、前記ハウジングの前記外面を横切って緯度方向に配設されるリングである、請求項１記載のランプハウジング装置。
【請求項１６】
前記ハウジングおよび前記反射板が一体のユニットとして形成されてなる、請求項１記載のランプハウジング装置。
【請求項１７】
内部に配設された光源手段から発せられる可視光を反射する一方で放射線を通過させることが可能な反射板手段と、
内面と外面とを有するとともに前記反射板手段に結合されているハウジング手段とを備え、
該ハウジング手段が、前記内面を通過した前記放射線を吸収する手段と、複数の形成物を用いて前記外面の面積を増加する手段とを備えており、吸収された前記放射線が、前記内面から前記外面に熱として低減された温度で透過されてなる、ランプハウジング装置。
【請求項１８】
前記ハウジング手段が前記反射板からの可視光の迷光を遮断する手段をさらに有してなる、請求項１７記載の装置。
【請求項１９】
前記可視光の迷光を遮断する手段が、不透明な材料からなるコーティングを前記内面に塗布することにより供されてなる、請求項１８記載の装置。
【請求項２０】
前記不透明な材料がペイントである、請求項１９記載の装置。
【請求項２１】
前記内面を通過した前記放射線を吸収する前記手段が、不透明な材料からなるコーティングを前記内面に塗布することにより強化されてなる、請求項１７記載の装置。
【請求項２２】
前記不透明な材料がペイントである、請求項２１記載の装置。
【請求項２３】
前記内面を通過した前記放射線を吸収する前記手段が、該内面を陽極化することにより強化されてなる、請求項１７記載の装置。
【請求項２４】
前記内面を通過した前記放射線を吸収する前記手段が、該内面をピーニングすることにより強化されてなる、請求項１７記載の装置。
【請求項２５】
前記内面を通過した前記放射線を吸収する前記手段が、該内面をナーリングすることにより強化されてなる、請求項１７記載の装置。
【請求項２６】
前記可視光の迷光を遮断する前記手段が、前記ハウジングの前記外面により供されてなる、請求項１８記載の装置。
【請求項２７】
前記ハウジングが、前記光源の放射を封じ込める手段をさらに備えてなる、請求項１７記載の装置。
【請求項２８】
前記通過した前記放射線を吸収する前記手段が、赤外（ＩＲ）放射線を吸収する手段を有してなる、請求項１７記載の装置。
【請求項２９】
前記複数の形成物が、前記ハウジングの前記外面を横切って平行に配設されるプレートである、請求項１７記載の装置。
【請求項３０】
前記複数の形成物が、前記ハウジングの前記外面を横切って経度方向に配設されるフィンである、請求項１７記載の装置。
【請求項３１】
前記複数の形成物が、前記ハウジングの前記外面を横切って緯度方向に配設されるリングである、請求項１７記載の装置。
【請求項３２】
前記ハウジングおよび前記反射板が一体のユニットとして形成されてなる、請求項１７記載の装置。
【請求項３３】
ランプ内の光および放射線を制御する方法であって、
可視光を反射する一方で放射線を通過させる反射板に可視光および放射線を発するランプを配設することと、
通過された前記放射線を吸収する内面と面積増加用の複数の形成物が延設される外面とを備え、該内面から該外面に、前記吸収された放射線が熱として低減された温度で放射されるハウジング内に、前記ランプおよび前記反射板を入れることと
を有している方法。
【請求項３４】
前記ハウジングにより、前記反射板からの前記可視光の迷光を遮断することをさらに有している、請求項３３記載の方法。
【請求項３５】
前記遮断することが前記ハウジングの前記内面により実行される、請求項３４記載の方法。
【請求項３６】
前記遮断することが前記ハウジングの前記外面により実行される、請求項３４記載の方法。
【請求項３７】
前記ハウジングにより、前記ランプの放射を封じ込めることをさらに有している、請求項３４記載の方法。
【請求項３８】
前記吸収された放射線が赤外（ＩＲ）放射線である、請求項３４記載の方法。
【請求項３９】
前記複数の形成物が、前記ハウジングの前記外面を横切って平行に配設されるプレートである、請求項３４記載の方法。
【請求項４０】
前記複数の形成物が、前記ハウジングの前記外面を横切って経度方向に配設されるフィンである、請求項３４記載の方法。
【請求項４１】
前記複数の形成物が、前記ハウジングの前記外面を横切って緯度方向に配設されるリングである、請求項３４記載の方法。
【請求項４２】
前記ハウジングおよび前記反射板を一体のユニットとして形成することをさらに有している、請求項３４記載の方法。
【請求項４３】
接触可能面を備える投映機ケーシングと、
内部に配設された光源から発せられる可視光を反射する一方で放射線を通過させることが可能な反射板を有するとともに前記投映機ケーシング内に配設されるランプハウジングと
通過された前記放射線を吸収可能な内面と面積増加用の複数の形成物を有する外面とを備え、該内面から該外面に、前記吸収された放射線が熱として低減された温度で透過させられ、前記投影機のケーシングの接触可能面が接触温度に関する安全要求量内であるハウジングと
を備えてなる投影機用ランプシステム。
【請求項４４】
前記ハウジングが、前記反射板からの前記可視光の迷光をさらに遮断することを可能にしてなる、請求項４３記載の投映機用ランプシステム。
【請求項４５】
前記ハウジングの前記内面が、前記可視光の迷光を遮断するように調整されてなる、請求項４４記載の投映機用ランプシステム。
【請求項４６】
前記ハウジングの前記内面が、通過された前記放射線の吸収性を強化するように調整されてなる、請求項４４記載の投映機用ランプシステム。
【請求項４７】
前記ハウジングの前記内面が、不透明な材料からなるコーティングを塗布することにより、前記通過された放射線の吸収性を強化するように作成されてなる、請求項４６記載の投映機用ランプシステム。
【請求項４８】
前記不透明な材料がペイントである、請求項４７記載の投映機用ランプシステム。
【請求項４９】
前記ハウジングの前記内面が、陽極化により、前記通過された放射線の吸収性を強化するように調整されてなる、請求項４６記載の投映機用ランプシステム。
【請求項５０】
前記ハウジングの前記内面が、ピーニングにより、前記通過された放射線の吸収性を強化するように調整されてなる、請求項４６記載の投映機用ランプシステム。
【請求項５１】
前記ハウジングの前記内面が、ナーリングにより、前記通過された放射線の吸収性を強化するように調整されてなる、請求項４６記載の投映機用ランプシステム。
【請求項５２】
前記ハウジングの前記外面が前記可視光の迷光を遮断してなる、請求項４４記載の投映機用ランプシステム。
【請求項５３】
前記ハウジングが前記光源の放射を封じ込めることを可能にしてなる、請求項４３記載の投映機用ランプシステム。
【請求項５４】
前記吸収された放射線が赤外（ＩＲ）放射線である、請求項４３記載の投映機用ランプシステム。
【請求項５５】
前記複数の形成物が、前記ハウジングの前記外面を横切って平行に配設されるプレートである、請求項４３記載の投映機用ランプシステム。
【請求項５６】
前記複数の形成物が、前記ハウジングの前記外面を横切って経度方向に配設されるフィンである、請求項４３記載の投映機用ランプシステム。
【請求項５７】
前記複数の形成物が、前記ハウジングの前記外面を横切って緯度方向に配設されるリングである、請求項４３記載の投映機用ランプシステム。
【請求項５８】
前記ハウジングおよび前記反射板が一体のユニットとして形成されてなる、請求項４３記載の投映機用ランプシステム。
【発明の詳細な説明】
【技術分野】
【０００１】
本発明は、一般的に、高輝度ランプに関するものであり、詳細には、ランプにより生成される光および放射を処理するランプハウジングに関するものである。
【背景技術】
【０００２】
人気のあるマルチメディア投映システムでは、画像を表示スクリーン上に投映するために、液晶表示装置（「ＬＣＤ」）またはデジタルマイクロミラーデバイス（「ＤＭＤ」）の如き画像形成デバイスの上流または下流に、広帯域の光源と光路コンポーネントとが採用されている。ＬＣＤプロジェクタの一例は、表示画像を形成・投映するために、透過型ＬＣＤと、光源と、投映光学部品とを備えており、オレゴン州９７０７０−９２１５、ウィルソンビル、ＳＷパークウェイ通り２７７００Ｂに拠点をおく本出願の譲受者であるインフォーカスコーポレーション（ＩｎＦｏｃｕｓ  Ｃｏｒｐｏｒａｔｉｏｎ）社によりＬＰ（登録商標）およびＬｉｔｅＰｒｏ（登録商標）というトレードマークで、製造・販売されている。ＤＭＤベースのマルチメディア投映機の一例は、ＩｎＦｏｃｕｓ  ＬＰ４２０モデルである。
【０００３】
マルチメディア投映機に用いられる典型的な広帯域光源は高輝度放電（ＨＩＤ）ランプである。ＨＩＤランプからの光は、反射板に収集され、この反射板がその光を成形し、投映光学部品へ導く。しかしながら、ＨＩＤランプは、マルチメディア投映機におけるＨＩＤランプの使用に関連する安全上および動作上の問題すべてに対して反射板のみでは対処できないくらいの多量の光および放射線を生成する。たとえば、ＨＩＤランプは特定の条件下において放射するおそれがある。さらに、使用中に、光および放射線がその投映機のうちの害を及ぼしうる領域に進入し、デリケートな電子部品および光学部品に損傷を与えたり、またはプラスティック部品の周辺を溶かしたりすることがある。よくあることであるが、可視光の迷光が投映機から完全に飛散してしまい、投映画像の可視性を減少させてしまう場合もある。また、光源により生成される放射線およびその結果生じる熱により、投映機のランプ、ランプ反射板、および周辺部品の冷却に用いる送風機から騒音が発生するという他の問題が提示される。
【発明の概要】
【発明が解決しようとする課題】
【０００４】
これらの安全上および動作上の問題の一部を解決すべく、いくつかの異なるタイプの反射板が設計されている。たとえば、冷却されたミラーガラス反射板は、可視光のほとんどを前方に反射する一方で、紫外線（ＵＶ）および赤外線（ＩＲ）を通過させる。しかしながら、ガラス反射板は、ＨＩＤランプの放射を適切に封じ込めえない。さらに、反射板を通過するＵＶ放射線およびＩＲ放射線は、投映機の他の部品に衝突し、それらを融点まで過熱するような場合には、とくに有害となりうる。反射板壁から、投映機の外側へまたはその内部の循環空気へ熱を伝導させるべく放熱板が用いられてきているが、従来の放熱板は、大きすぎたり、重すぎたり、または投映機の動作に干渉するので、マルチメディア投映システムでの使用には通常適していない。
【０００５】
他の反射板は、アルミ製の反射板であり、このアルミ製の反射板は、可視光およびＩＲ放射線を光学室へと反射する。アルミ製反射板は、放射の場合に、ＨＩＤランプを封じ込めうるし、投映機のある部分に対して放射される熱量を減少しうるが、このアルミ製反射板は、ＩＲ放射線が、光学室に存在するデリケートな光学部品に対して悪影響を与えるので、他の問題を提示する。
【課題を解決するための手段】
【０００６】
ランプのバーナにより放出される放射線を吸収する内面と、放射手段および対流手段により熱放散を改良可能とする外面とを備えるとともに、反射板を収納しているまたはそれと一体化されているランプハウジング用の方法が提供されている。
【０００７】
本発明の一つの態様によると、ハウジングの外面が、放射手段および対流手段により熱放散を改良するための複数の形成物により広げられる。これらの形成物は、外面からさまざまな方向に延び、それにより、ランプハウジングが用いられるデバイスに応じて反射板の形状を変えることができる。
【０００８】
本発明の一つの態様によると、ハウジングは、可視光の迷光の放散を遮断する材料で調整され、それにより、光漏洩システムの必要性を排除することができる。あるいは、上記のハウジングは、可視光の迷光の放散を遮断する材料で製作される。
【０００９】
本発明の一つの態様によると、ハウジングの内面または壁は、赤外線（ＩＲ）の波長範囲における放射線に対して高い吸収性能を達成すべく、強化材料で製作されている。あるいは、ハウジングは、赤外線（ＩＲ）の波長範囲における放射線に対し本来高い吸収性能を有する材料から製作される。
【００１０】
本発明の他の態様によると、上記および他の方法を実行する装置が提供されている。
【図面の簡単な説明】
【００１１】
【図１】本発明の一つの実施例にかかるランプ反射板およびランプ反射板シェルの拡大斜視図である。
【図２】本発明の一つの実施例にかかる図１に示されているランプ反射板およびランプ反射板シェルの一方の側面を示す側面図である。
【図３】本発明の一つの実施例にかかる図１に示されているランプ反射板およびランプ反射板シェルの他方の側面を示す側面図である。
【図４】本発明の一つの実施例にかかるランプハウジングの斜視図である。
【図５】本発明の一つの実施例にかかる図４に示されているランプハウジングの側面図である。
【図６】本発明の一つの実施例にかかる図４に示されているランプハウジングの底面図である。
【図７】本発明の一つの実施例にかかるランプハウジングの斜視図である。
【図８】本発明の一つの実施例にかかる図７に示されているランプハウジングの側面図である。
【図９】本発明の一つの実施例にかかる図７に示されているランプハウジングの底面図である。
【図１０】図１〜図３に示されているランプ反射板およびランプ反射板シェルが本発明の一つの実施例に従って組み込まれうる投映機ケーシングを示している。
【発明を実施するための形態】
【００１２】
以下で、本発明にかかる、ランプハウジングの熱放散および光遮断の改良方法および改良装置のさまざまな態様を記載する。本発明を十分に理解させるべく特定の詳細を記載する。しかしながら、当業者にとって明らかなように、本発明は、本発明記載の態様の一部のみまたは全部を用いることに加えて、上記の特定の詳細の一部または全部を用いてまたは用いないで、実施されてもよい。場合によっては、周知の特徴は、本発明を明確にするために、削除または簡略化されうる。表現「一つの実施例では」が複数回用いられる場合、これらの表現が、同一の実施例を参照している場合もあるが、必ずしもそうであることに限定されない。
【００１３】
典型的な従来のランプ反射板は、ガラス材料またはセラミック材料からなっており、その内面は、可視光のほとんどを反射する一方、放射線を通過させるコールドミラーとして機能する。可視光の反射と放射線の透過または通過との間には精巧なバランスが存在する。可視範囲における従来の反射板の透過性は、反射板上のコーティング層の加工技術によりもたらされたものであり、このコーティング層が、所望の光学物性を提供する。しかしながら、前進する光の形状を決定する反射板の曲率もまた、上記のコーティングのフィルタリング特性に影響を与えうる。このフィルタリング特性は、角度に敏感に反応し、著しく変わりやすい。特定の投映機の所与の反射板のコーティングを構成する一組の層に、所望の光学的物性のすべてを備えさせることは非常に困難である。通常、コーティングの効率は９８％である。すなわち、可視光の２％は、通気口を通って投映機が設置されている部屋へと逸れていくが如き好ましきない方法で反射板から迷走する可能性がある。さらに、一旦放射線が反射板を透過または通過すると、この放射線は、投映機のその他コンポーネントを害しないように管理されなければならない。
【００１４】
本発明のランプハウジングは、標準的な従来の反射板および放熱板よりも向上した熱放散および光遮断を提供する。一つの実施例では、本発明のランプハウジングは、標準的な従来の反射板よりも低温な熱環境をランプバーナに提供する。この低温な環境により、光源のランプバーナおよびバーナアームの熱制御を容易にし、それにより、ランプの信頼性を向上し、ランプを直接に冷却する必要性を軽減する。一つの実施例では、本発明のランプハウジングは、標準的な従来の反射板とは異なり、可視光線を透さない。可視光線を遮断することにより、好ましくないほど高い気流抵抗および送風機ノイズ（たとえば、光遮断用通気口）を引き起こす光漏洩制御システムの必要性が排除される。光漏洩制御システムを排除し、ランプを直接冷却する必要性を軽減することにより、投映機の運転がより静かになる。
【００１５】
一つの実施例では、本発明のランプハウジングは、ランプ反射板と、このランプ反射板を取り囲むランプ反射板シェルとを備えうる。あるいは、本発明のランプハウジングは、ランプ反射板シェルと一体構造のランプ反射板を備えうる。いずれの場合であっても、ランプハウジングには、熱放散特性が強化された外面または壁が設けられている。
【００１６】
一つの実施例では、外面の熱放散特性の強化は、プレート、フィン、ピンフィン、スパインなどの如き形成物を用いて、ランプハウジングの外面の表面領域を広げることにより実現される。これらの形成物は、以下で記載される実施例の一例に示される強制的または自然な対流を補完する反射板形状を形成するように任意の方向に配向されうる。ランプハウジングの表面領域を広げることにより、ランプハウジング自体の温度のみでなく、このランプハウジングが設置される投映機ケーシングの温度も低下させられる。投映機ケーシング100の温度を下げることにより、いくつかの利点が提供される。これらの利点には、ケーシング部およびハウジング部における特別な反射遮蔽の必要性が減少または排除されて組立・製造が簡易化されること、接触温度に対する安全要求量への準拠が容易になること、定格温度の低い、軽量かつ低コストのプラスティックの利用が可能になることが含まれる。
【００１７】
一つの実施例では、ランプハウジングは、可視光を透さない材料からランプハウジングの少なくとも一部（たとえば、ランプ反射板シェル、またはランプハウジングの表面）を形成することで、可視光を透さないようになっている。他の実施例では、ランプハウジングは、可視光を透さない不透明な材料を用いてハウジングの表面を特別に調整することで、可視光を透さないようになっている。
【００１８】
通常の用途では、上記のランプハウジングを構成するランプ反射板および／またはランプ反射板シェルの形状により、さらに強化しなくとも、十分な放射線吸収特性が供される。しかしながら、一つの実施例では、ランプハウジングには、放射線吸収特性が強化された内面または壁が設けられる。設けられる場合には、内面の放射線吸収特性の強化は、放射線吸収材料を用いてその内面を特別に調整することにより達成される。他の実施例では、放射線吸収特性の強化は、放射線吸収特性が本来高い材料からランプハウジングを製作することで達成される。
【００１９】
図１は、本発明の一つの実施例にかかるランプ反射板およびランプ反射板シェルをの拡大斜視図である。この例示された実施例10は、一方の側に開口部11と他方の側に接続部18とを備えており、開口部11の幅が接続部18に至るにつれ狭くなり、この輪郭に沿って内面14および外面16が形成されている。ランプ反射板12は、ガラス材料またはセラミック材料からなっており、内面14は、可視光のほとんどを開口部11から反射する一方で放射線を外面16を通して通過させる、当該通信技術分野において公知のコールドミラーとして機能する。
【００２０】
例示されているように、ランプ反射板12は、本発明の実施例に従って、ランプ反射板シェル20とともに動作する。このランプ反射板シェル20もまた、一方の側に開口部21と他方の側に接続部32とを備えており、開口部21の幅が接続部32に至るにつれ狭くなり、ランプ反射板12の外面16がランプ反射板シェル20内にしっかりと嵌め込まれるように、外面16と同様の輪郭に沿って形成されている。一つの実施例では、ランプ反射板12の外面16は、空気層がランプ反射板12とランプ反射板シェル20との間を通りうるように、このランプ反射板シェル20の内面30のわずか上方にはめ込まれる。このような空気層は、投映機デバイスにおいて一般的なことであるところのデバイスの周りの冷たい空気と上記のような空気層との連続的な交換がなされる場合はとくに、熱放散の機会をさらに提供する。
【００２１】
一つの実施例では、ランプ反射板シェル20の内面30は、光源により発生され外面16を通過する放射線の吸収を向上するようにとくに調整されている。たとえば、吸収性を向上するために塗料の如き材料が内面30に塗装されうるし、またはこの内面30が陽極化されうる。他の例としては、内面30の仕上げが、ピーニング手段またはナーリング手段により、吸収性を向上するように変更されうる。一つの実施例では、ランプ反射板シェル20は、本来放射線高吸収性を有する材料から製作されており、その内面30は、さらなる吸収性向上のために変更されてもよいしされなくともよい。
【００２２】
また、ランプ反射板シェル20は、該ランプ反射板シェル20から外側へ延出する複数の形成物22より広げられる外面34を備えている。この広げられた外面34により、空気循環または他の冷却機構により除去可能な熱エネルギーに放射エネルギーを変換する、ランプ反射板シェル20の能力が向上させられる。例示の実施例では、形成物22とは、開口部21の一方から他方にランプ反射板シェル20の本体の外側に沿って平行に延びるプレート22／24のことである。各プレート22／24は、熱放散とプレート強度との間で可能な限り最大の均衡を提供するように選択された特定の厚み26を有している。最適な厚みは、このランプ反射板12およびランプ反射板シェル20が搭載される投映機のケーシングに応じて変わる。
【００２３】
図２は、本発明の一つの実施例にかかる、図１に示されているランプ反射板およびランプ反射板シェルの一方の側面を示す側面図である。例示されているように、各プレート22は、開口部21の最少部分から最も広い部分まで、それに対応して寸法が変わる。たとえば、開口部21の最も外側にある縁部のプレート22は、開口部21のその次に最も外側にある縁部の隣接するプレート24よりも小さな幅23を有し、このプレート24は、より大きい幅25を有している。以下同様に、このような関係が続いていく。
【００２４】
図３は、本発明の一つの実施例にかかる、図１に示されているランプ反射板およびランプ反射板シェルの他方の側面を示す側面図である。動作中、広帯域かつ高強度な光源は、ランプ反射板12内に設置され、可視光36と、ＩＲ放射線を含む放射線38とを放射する。可視光36は、前記輪郭に沿って形成された内面14により反射され、開口部11の外側に進む。わずかに残った可視光36は、ランプ反射板シェル20により遮断される。放射線38は、ランプ反射板12の内面14を通って外面16まで透過され、放射線の吸収性を向上させるべく内面30に対して加えられた特別な調整により、または上記で図１を参照して記載されたようにランプ反射板シェル20が製作される材料により、ランプ反射板シェル20の内面30により吸収される。吸収された放射線38は、ランプ反射板シェル20の外面34に沿って形成物22／24を介して放散される。ここでは、吸収された放射線は、プレート22／24とその周辺領域との間の空間28を循環する空気に対して熱エネルギーとして放出され、送風機または他の空気循環デバイスを用いた対流により取り除かれる。形成物22／24が外面34の面積を広げるので、熱エネルギーは、広がった面積全体に分散され、ランプ反射板シェル20の温度は下げられる。この結果、ランプ反射板シェル20が用いられるデバイスの動作温度もまた下げられ、これにより、送風機速度を低下させること、デバイス接触温度を低下させること、およびノイズを低下させることが可能となる。
【００２５】
図４は、本発明の一つの実施例にかかるランプハウジングの斜視図である。例示された実施例50は、一方の側に開口部51とその対向側に閉鎖部66とを備えており、開口部51の幅が閉鎖部66に至るにつれ狭くなり、その輪郭に沿って内面54および外面56が形成されている。ランプ反射板52は、ガラス材料またはセラミック材料からなりうる。ここでは、内面54は、可視光のうちのほぼすべてを反射し開口部51の外側に進め、わずかに残った可視迷光を遮断する一方で、放射線を通過させて外面56に至らせる。図１から図３に例示されている実施例とは対照的に、図４〜図６に例示される実施例50は、ランプ反射板12およびランプ反射板シェル20の両方の機能を実行すべく、一体のユニットとして形成されているランプハウジング52を備えている。
【００２６】
例示されている実施例50では、ランプハウジング52の内面54は、光源により放射される放射線の吸収を向上させるべく特別に調整されうる。他の実施例では、ランプハウジング52は、本来放射線高吸収性を有する材料から製作される。外面56は、ランプハウジング52の本体から外側へ延出する複数の形成物58により広げられている。この広げられた外面56により、比較的低温で、放射エネルギーを熱エネルギーに変換するランプハウジング52の能力が向上させられ、このことにより、空気循環または他の冷却機構を利用して、放射エネルギーをさらに容易に除去することができる。
【００２７】
例示の実施例では、形成物58は、ランプハウジング52の本体の外側の輪郭に沿って、開口部51の外縁部のまわりに経度方向に配置されているフィンであり、その間に介在する経度方向の空間64を形成している。これらのフィン58は、開口部51から下方に延びており、本体と同一面上でぴったりと重なり閉鎖部66の周辺に集まるまで、ランプハウジング52の本体からの延びを徐々に減少させている。各フィン58は、距離62により分離されており、この距離は、開口部51の近くで最も大きく、閉鎖部66で完全に一点に集まるまでその寸法が減少していく。また、各フィン58は、特定の厚み60を有しており、フィンとフィンとの間の距離62およびこのフィンの厚み60は、熱放熱の向上とフィンの強度との間において可能な最大のバランスを実現するように選択される。最適な厚み60は、ランプハウジング52が搭載される投映機のケーシングに応じて変わる。
【００２８】
図５は、本発明の一つの実施例にかかる図４に示されているランプ反射板の側面図である。例示されているように、各フィン58は、ランプハウジング52の開口部51の頂部から底部の閉鎖部66まで下方に延びている。動作中、広域かつ高強度の光源は、ランプハウジング52内の開口部51を通って設置され、可視光70とＩＲ放射線を含む放射線68との両方を放射する。可視光70は、内面54により反射され開口部51の外側へ進む一方で、放射線68は、ランプハウジング52の内面54を通過して外面56に透過する。放射線68は、上記で図４を参照して記載したように、放射線の吸収性を向上させるべく内面54に対して行われた特別な調整により、またはランプハウジング52を構成する放射線高吸収性を有した材料により、ランプハウジング52によって吸収される。吸収された放射線68は、ランプハウジング52の外面56に沿うフィン58を介して放射される。ここで、吸収された放射線68は、送風機または他の空気循環デバイスを用いた対流により、熱エネルギーとして、フィン58の間の空間64で循環する空気および周辺の領域へ放出される。フィン58は外面56の面積を広げるので、ランプハウジング52の温度は低下させられる。この結果、このランプハウジング52が用いられるデバイスの動作温度もまた低下させられ、送風機速度を低下させること、デバイス接触温度を低下させること、およびノイズを低下させることが可能となる。
【００２９】
図６は、本発明の一つの実施例にかかる図４に示されているランプハウジングを示す底面図である。例示されているように、ランプハウジング52の外面56は、経度方向のフィン58の形成により広げられている。これらの経度方向のフィンは、ランプハウジング52から延び、ランプハウジング52を取り囲み、距離62離れて配置され、底部の閉鎖部66において一点に集まることにより、介在空間64を形成している。
【００３０】
図７は、本発明の一つの実施例にかかるランプハウジングの斜視図である。例示された実施例80は、一方の側に開口部81とその対向側に閉鎖部88とを備えており、開口部81の幅が閉鎖部88に至るにつれ狭くなっており、その輪郭に沿って内面84および外面86が形成されている。ランプハウジング82は、ガラス材料またはセラミック材料からなりうる。ここでは、内面84は、可視光のうちのほぼすべてを反射し開口部51の外側に進め、わずかに残った可視迷光を遮断する一方で、放射線を通過させて外面86に至らせる。図１から図３に例示されている実施例10とは対照的に、図７〜図９に例示される実施例80は、ランプ反射板12およびランプ反射板シェル20の両方の機能を実行すべく、一体のユニットとして形成されているランプハウジング82を備えている。
【００３１】
例示されている実施例80では、ランプハウジング82の内面84は、光源により放射される放射線の吸収を向上させるべく特別に調整されうる。他の実施例では、ランプハウジング82は、本来放射線高吸収性を有する材料から製作される。外面86は、ランプハウジング82の本体から外側へ延出する複数の形成物88により広げられている。この広げられた外面86により、比較的低温で、放射エネルギーを熱エネルギーに変換するランプハウジング82の能力が向上させられ、このことにより、空気循環または他の冷却機構を利用して、放射エネルギーをさらに容易に除去することができる。
【００３２】
例示の実施例では、形成物88は、ランプハウジング82の本体の外形状のまわりに、緯度の方向に配置されているリングであり、その間を介在する緯度方向の空間94を形成している。これらのリング層96および空間94は、開口部81から始まり、底辺の閉鎖部88に達するまで、平行関係を維持しながら、ランプ反射板82の本体のまわりを取り囲んでいる。各リング96は、距離92により離隔され、特定の厚み90を有している。ここで、距離92および厚み90は、熱放熱とリング強度との間において可能な最大のバランスを実現するように選択される。最適な厚み90は、ランプハウジング82が搭載される投映機のケーシングに応じて変わる。
【００３３】
図８は、本発明の一つの実施例にかかる図７に示されたランプ反射板の一方の側面を示す側面図である。例示されているように、各リング96は、開口部81の頂部から底部の閉鎖部88まで、ランプハウジング82の外側のまわりを緯度方向に配置されている。動作中、広域かつ高強度の光源は、ランプハウジング82内の開口部81を通って設置され、可視光98とＩＲ放射線を含む放射線100との両方を放射する。可視光98は、内面84により反射され開口部81の外側へ進む一方で、放射線100は、ランプハウジング82の内面84を通過して外面86に透過する。放射線100は、上記で図４を参照して記載したように、放射線の吸収性を向上させるべく内面84に対して行われた特別な調整により、またはランプハウジング82を構成する材料により、ランプハウジング82によって吸収される。吸収された放射線100は、ランプハウジング82の外面86に沿うリング96を介して放射される。ここで、吸収された放射線100は、送風機または他の空気循環デバイスを用いた対流により、熱エネルギーとして、リング96の間の空間94で循環する空気および周辺の領域へ放出される。リング100は、外面86の面積を広げるので、ランプハウジング82の温度は低下させられる。この結果、このランプハウジング82が用いられるデバイスの動作温度もまた低下させられ、送風機速度を低下させること、デバイス接触温度を低下させること、およびノイズを低下させることが可能となる。
【００３４】
図９は、本発明の一つの実施例にかかる図７に示されたランプハウジングの底面図である。例示されている実施例80では、ランプハウジング82の外面86は、開口部81の頂部から底部の閉鎖部88までリング96および空間94の平行な層を形成すべくランプハウジング82のまわりに緯度方向に配置されるリング96の形成により広げられている。
【００３５】
以上の記載から明らかなように、実施例10、50、80に例示されたプレート22／24、フィン58、およびリング96などの形成により、ランプハウジングの外面34、56、86の各々が異なる形状を有することになる。これらの異なる形状は、形成物のまわりの空気の流れを最適化して対流による投映機ケーシングからの熱エネルギーの放出を向上するように、投映機システムの空気流システムと有効に組み合わせられる。
【００３６】
図１０は、本発明の一つの実施例に従って、図１〜図３に示されたランプ反射板およびランプ反射板シェルが組み込まれうる典型的な投映機ケーシングを示している。例示の実施例では、典型的な投映機ケーシング100が、その内部に配置されている図１から図３のランプ反射板およびランプ反射板シェル10を示すべく、一部切欠図により示されている。例示のように投映機ケーシング100は、ポータブルタイプの投映機であり、ユーザによるアクセスが可能であるとともに接触可能面と呼ばれる外面を有している。なお、例示の投映機ケーシング100は、説明のみを意図したものであり、本発明の原理から逸脱することなく、またはその範疇を超えることなく、この投映機ケーシング100の形状、サイズ、または特徴に変更を加えうる。さらに、図４から図９に例示された実施例にかかる実施品の如き本発明の他の実施例にかかる実施品もまた、投映機ケーシング100内に配設または内蔵されてもよい。動作中、ランプハウジング（すなわち、図１から図３のランプ反射板およびランプ反射板シェルまたは図４から図９のランプハウジング）の表面積を増加することにより、ランプハウジング自体の温度のみでなくこのランプハウジングが設けられる投映機ケーシング100の接触可能面の温度もさがる。投映機ケーシング100の温度を下げることにより、いくつかの利点が提供される。これらの利点には、ケーシング部およびハウジング部における特別な反射遮蔽の必要性が減少または排除されて組立・製造が簡易化されること、接触温度に対する安全要求量への準拠が容易になること、定格温度の低い、軽量かつ低コストのプラスティックの利用が可能になることが含まれる。
【００３７】
以上ように、例示の実施例10、50、80に示されたような、とりわけ外面が広げられかつ可視光に対して非透過性を有するランプハウジングの方法および装置が記載されている。その結果、このランプハウジングは、所望の形状において、光源から放射される可視光のほとんどすべてを反射するとともに残りの可視光の迷光を遮断して、熱環境を向上させる。可視光の迷光を遮断することにより、光漏洩管理システムの必要性を排除し、熱環境を向上することにより、ランプハウジングおよび投映機ケーシングの動作温度を低下させる。以上の記載から、本発明に対して数多くの変更が可能であることが当業者には明らかである。したがって、本発明は、記載された詳細によって限定されない。むしろ、本発明は、添付されたクレームの精神および範疇から逸脱することなく修正および変更を加えて実施されうる。
【００３８】
本発明は、添付の図面において、実施形態の例示のみを意図して記載されるが、それらによりなんら限定されるものではない。また、これらの図面において、同様の参照番号は同等の部材を表す。
【符号の説明】
【００３９】
11，51，81…開口部、12…ランプ反射板、14，30，54，84…内面、16，34，56，86…外面、18…接続部、20…ランプ反射板シェル、21…開口部、22，24…プレート、26…厚み、36，98…可視光、38，68、100…放射線、52，82…ランプハウジング、58…形成物、フィン、60，90…厚み、62，92…距離、64，94…空間、66，88…閉鎖部、96…リング。
【図１】
2010282969.tif 000003
【図２】
2010282969.tif 000004
【図３】
2010282969.tif 000005
【図４】
2010282969.tif 000006
【図５】
2010282969.tif 000007
【図６】
2010282969.tif 000008
【図７】
2010282969.tif 000009
【図８】
2010282969.tif 000010
【図９】
2010282969.tif 000011
【図１０】
2010282969.tif 000012
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
内部に配設された光源から発せられる可視光を反射する一方で放射線を通過させることが可能な反射板と、
通過された前記放射線を吸収可能な内面と前記放射線を熱エネルギーとして放出する外面とを有し、前記反射板に結合されたハウジングとを備え、
前記ハウジングは前記ランプ反射板と同様の輪郭に形成され、前記ランプ反射板と前記ハウジングの間に空気層が通りうるように構成されてなるランプハウジング装置。
【請求項２】
前記ハウジングの前記内面が、通過された前記放射線の吸収性を強化するように調整されてなる、請求項２記載のランプハウジング装置。
【請求項３】
前記ハウジングの前記内面が、不透明な材料の塗料を塗布することにより、前記通過された放射線の吸収性を強化するように構成されてなる、請求項２記載のランプハウジング装置。
【請求項４】
前記ハウジングの前記内面が、陽極化によって前記通過された放射線の吸収性を強化するように構成されてなる、請求項２記載のランプハウジング装置。
【請求項５】
前記ハウジングの前記内面が、ピーニングによって前記通過された放射線の吸収性を強化するように構成されてなる、請求項２記載のランプハウジング装置。
【請求項６】
前記ハウジングの前記内面が、ナーリングによって前記通過された放射線の吸収性を強化するように構成されてなる、請求項２記載のランプハウジング装置。
【請求項７】
前記外面は面積増加用の複数の形成物を有する請求項１から請求項６のいずれかに記載のランプハウジング装置。
【請求項８】
前記複数の形成物が、前記ハウジングの前記外面を横切って平行に配設されるプレートである、請求項７記載のランプハウジング装置。
【請求項９】
前記複数の形成物が、前記ハウジングの前記外面を横切って経度方向に配設されるフィンである、請求項７記載のランプハウジング装置。
【請求項１０】
前記複数の形成物が、前記ハウジングの前記外面を横切って緯度方向に配設されるリングである、請求項７記載のランプハウジング装置。
【請求項１１】
請求項１から請求項１０のいずれかに記載のランプハウジング装置を備えた投映機。